(57)【特許請求の範囲】
【請求項１】
電気錠の錠箱２内に駆動制御ユニット３が組み込み、該駆動制御ユニット３は、少なくとも、錠箱２内に収まる大きさに形成されかつ錠箱のケース身１１とケース蓋１２の対向内壁面にサンドイッチ状態に規制されるコンパクト型扁平容器４３と、該扁平容器内に組み込まれた駆動源４と、デッドボルトの進退時の信号を得ることができるスイッチ６と、該スイッチと電気的に接続するプリント基板７と、このプリント基板７に接続する所要長さの配線２６から成ることを特徴とする電気錠。
【請求項２】
請求項１に於いて、駆動制御ユニット３の扁平容器４３の前壁側には、少なくとも操作ボタン２１、スイッチ２２が配列され、これらの部材２１．２２は、フロント板１３を取り外すと、取付け板１４の開口２４から見えることを特徴とする電気錠。
【請求項３】
請求項１に於いて、駆動制御ユニット３の扁平容器４３は、錠箱のケース身に設けた少なくとも一つ以上の支持部材に支持されていることを特徴とする電気錠。
【請求項４】
請求項１に於いて、扁平容器４３は二分割され、ケース身側の「収納容器本体４３ａ」と、これに合体するケース蓋側の「蓋体４３ｂ」とから成ることを特徴とする電気錠。
【請求項５】
請求項１に於いて、駆動制御ユニット３の扁平容器４３は、固着具５１を介して錠箱に固定されていることを特徴とする電気錠。
【請求項６】
請求項１に於いて、スイッチ駆動板３８は、その上端部側３８ａが扁平容器４３に案内され、一方、上端部側３８ａに連設する下端部側３８ｂが扁平容器４３から突出し、前記下端部側３８ｂには、ダルマ３１の第２駆動腕３７あるいはダルマ３１に連動する作動体と係合する係合部が形成されていることを特徴とする電気錠。
【発明の詳細な説明】
【技術分野】
【０００１】
本発明は、建具の扉に取付けられ電気錠に関する。
【背景技術】
【０００２】
特許文献１には、錠箱内にダルマの回転乃至デッドボルトの進退動用駆動源（縦方向に配設された電磁モータ）と、該駆動源の駆動力により上下動するスイッチ駆動板（錠箱の後壁に沿って上下動するスライド板）と、該スイッチ駆動板の移動と共にフロント板を基準に進退動した前記デッドボルトの状態を検出する単数又は複数個のスイッチ（施錠信号用スイッチと解錠信号用スイッチ）と、これらのスイッチにそれぞれ電気的に接続する複数本の配線とを備えた電気錠が記載されている。
【０００３】
上記のように、電気錠を構成する主な駆動源、信号検出スイッチ、スイッチ駆動板は、電気錠の仕様態様に応じて別個独立（個別的）に錠箱内にそれぞれ配設されている（これを、以下、「個別的組込み型」と称する）。
【特許文献１】実開昭６１−１８９９４９号公報
【発明の開示】
【発明が解決しようとする課題】
【０００４】
従来の個別的組込み型電気錠は、組込み作業に時間がかかり過ぎる。そこで、本発明は、電気錠を構成する主な部材（例えば駆動源、信号検出スイッチ、スイッチ駆動板など）と共に、該主な部材と電気的に接続するプリント基板を錠箱内に簡単にセットすることができる新型タイプの電気錠を提案することである。
【課題を解決するための手段】
【０００５】
本発明の電気錠は、電気錠の錠箱２内に駆動制御ユニット３が組み込み、該駆動制御ユニット３は、少なくとも、錠箱２内に収まる大きさに形成されかつ錠箱のケース身１１とケース蓋１２の対向内壁面にサンドイッチ状態に規制されるコンパクト型扁平容器４３と、該扁平容器内に組み込まれた駆動源４と、デッドボルトの進退時の信号を得ることができるスイッチ６と、該スイッチと電気的に接続するプリント基板７と、このプリント基板７に接続する所要長さの配線２６から成る。
【０００６】
上記構成に於いて、駆動制御ユニット３の扁平容器４３の前壁側には、少なくとも操作ボタン２１、スイッチ２２が配列され、これらの部材２１．２２は、フロント板１３を取り外すと、取付け板１４の開口２４から見えることを特徴とする。
【発明の効果】
【０００７】
（１）従来の個別的組込み型とは相違し、電気錠を構成する主な部材を駆動制御ユニット３の扁平容器４３に収めたので、錠箱に簡単にセットすることができる。
（２）扁平容器４３は、錠箱のケース身１１とケース蓋１２の対向内壁面にサンドイッチ状態に規制されるので、いわゆる「ガタガタ」しない。
（３）駆動制御ユニット３がプリント基板を備えているので、例えばプリント基板にスイッチを直に取り付けることができる。したがって、従来のように錠箱内でのリード線の引き回しが不要である。
（４）請求項２に記載の発明は、フロント板を外すと、操作ボタン２１、スイッチ２２が見えるから、錠箱を扉から外さなくても、操作ボタン等を操作することができる。
（５）その他、実施例如何によっては、駆動制御ユニット３の扁平容器４３を確実に支持あるいは固定することができる、電気錠を構成する主な部材の組込みや修理が容易である、ダルマ３１の第２駆動腕３７あるいは作動体に簡単に係合させることができる等の利点を得ることができる。
【発明を実施するための最良の形態】
【０００８】
Ｘは電気錠、１は扉、２は縦型の錠箱である。３は、錠箱２内に固定的にセットされ、かつ、駆動源４、デッドボルト５の進退動と共にスイッチ駆動板３８の上下動を介して信号を拾う単数又は複数個のスイッチ６、このスイッチ６と電気的に接続するプリント基板７、このプリント基板７に接続する所要長さの配線２６をそれぞれ備えたコンパクト型の駆動制御ユニットである。以下、図１乃至図１１に示す本発明を実施するための最良の形態により説明する。
【０００９】
（１）発明の実施の環境
図１は、発明の実施の環境を示す概略説明図である。図１、図８に於いて、Ｘは電気錠、１は扉、２は縦型の錠箱、３はこの錠箱２内に固定的にセットされ、かつ、少なくとも駆動源４、デッドボルト５の進退動に基づき、かつ、スイッチ駆動板３８を介して信号を拾う単数又は複数個のスイッチ６ａ．６ｂ、このスイッチ６と電気的に接続するプリント基板７をそれぞれ内装するケース状の駆動制御ユニットである。
【００１０】
本発明は、まず、電気錠Ｘの錠箱２のケース身１１にコンパクト型駆動制御ユニット３を固定的に組み込み、次に、駆動制御ユニット３に対してケース蓋１２を固定的に被せた点に特徴がある。したがって、駆動制御ユニット３は、錠箱２のケース身１１の内壁面とケース蓋１２の内壁面に、いわばサンドイッチ状態に規制（支持、或いは挟持、或いはまた固定）されている。以下、本発明の特徴点と共に、特徴点に関連する錠箱２と電気錠の機械的構成を合わせて説明する。
【００１１】
（２）錠箱
錠箱２は、普通一般に、ケース身１１と、図示しない複数本の固着具（オネジ）を介して該ケース身１１に固着されるケース蓋１２とから成る。錠箱２の細部は省略し、錠箱２の各部位を説明すると、１３はフロント板、１４はフロント板の裏側に当たる取り付け板、１５は上壁、１６は下壁、１７は後壁である。
【００１２】
前記フロント板１３及び取り付け板１４は、デッドボルト５用の出入り口１８を有する。そして、本実施例では、前記取り付け板１４は、図６で示すように、フロント板１３を錠箱２から外した時に於いて、駆動制御ユニット３の扁平容器の前壁側に配設された小さなランプ２０、モード切替え用の操作ボタン２１、識別番号設定用のロータリースイッチ２２などがそれぞれ見える縦長開口（或いは切欠）２４を有している（図８参照）。
【００１３】
また、錠箱２は、ケース身１１の取り付け板１４寄りの上壁１５付近と中央部付近にメネジ支持筒２５を有し、これらのメネジ支持筒２５．２５はケース蓋１２をケース身１１に固着する時に利用される。本実施例では、メネジ支持筒２５の少なくとも一つは、駆動制御ユニット３を所定位置に支持する機能を有している。また、錠箱２の上部には、駆動制御ユニット３の配線（いくつかの信号線、給電線）２６を錠箱２の外へ案内する配線用案内筒２７が設けられている。
【００１４】
（３）電気錠の機械的構成
電気錠の機械的構成は、本発明の特定要件ではないが、施錠時の作用も含め、基本的な構成部材を便宜上説明する。前述したように、５は出入り口１８を基準に進退動するデッドボルト、３１は慣用語のダルマ、３２はデッドストッパー、３３は押し下げ部材である。前記デッドボルト５は、例えば案内ピン３５等を介して進退動する。ダルマ３１は、本実施例では半径方向の外側に延伸する２本の駆動腕を有する。その一つは、デッドボルト５の後端部に形成した対向衝止面（符号省略）に選択的に当たる第１駆動腕３６、もう一つは、駆動ピンを介して縦方向のスイッチ駆動板３８に係合する第２駆動腕３７である。デッドストッパー３２は、固定軸（符号省略）に設けられ、該デッドストッパー３２をデッドボルト５に常時付勢する付勢バネ３９を備えている。押し下げ部材３３は、一端部が前記第１駆動腕３６の先端部に軸支され、他端部は錠箱２に設けた案内部（符号省略）に案内されていると共に、復帰バネ４０に付勢されている。
【００１５】
駆動制御ユニット３内の駆動源４の一例としては、マイクロモータ等の電動機が用いられているが、例えば駆動信号により駆動源４が起動すると、駆動制御ユニット３内の歯車伝達機構４１及び縦方向のスイッチ駆動板３８を介してダルマ３１がデッドボルト５を押す出す方向（施錠方向）へと回転する（図１、図８）。
【００１６】
駆動源４の駆動力（又はサムターンの操作）により、ダルマ３１が施錠方向へ回転する場合には、その回転中、デッド用施・解錠手段の一例としての押し下げ部材３３は、例えばデッドボルト５の下方に配設されたデッドストッパー３２を付勢バネ３９のバネ力に抗して押し下げる。したがって、デッドボルト５はデッドストッパー３２から解放されるので、錠箱２内から突出する。
【００１７】
デッドボルト５が錠箱２から進出すると、デッドストッパー３２はダルマ３１の回転途中で押し下げ部材３３を介して一旦押し下げられるものの、ダルマ３１の第１駆動腕３６が再び傾倒状態になると、復帰バネ４０のバネ力により、デッドボルト５の係合部（符号省略）に係合する方向へと回転し、進出したデッドボルト５を施錠（係止）する。
【００１８】
（４）駆動制御ユニット３
駆動制御ユニット３は、少なくとも、錠箱２内に収まる大きさに形成された扁平容器４３と、該扁平容器４３内に組み込まれた駆動源４と、スイッチ６と、プリント基板７とから成り、前記プリント基板７は、扁平容器４３の開口部（切欠）４４から出た所要長さの配線２６を有している。そして、前記配線２６の内部の一部は、前記開口部４４付近に形成されたスリットに嵌まり込むＣ型リング（配線支持具）４５に束ねるように支持されていると共に、駆動制御ユニット３が錠箱２内にセットされた場合に於いて、前述した配線用案内筒２７を介して錠箱２の外へと導かれる。
【００１９】
図４乃至図７を参照にして駆動制御ユニット３の扁平容器４３の構成を説明する。扁平容器４３は、普通一般に良く見かける化粧用容器（白粉と鏡の付いた扁平状の角型化粧用コンパクト）の形態に似ている。本実施例では、扁平容器４３は略均等割合で「二分割」され、図５の平面図及び図７の右側面図で示すように、ぴったりと合体する。ここでは、二分割された扁平容器４３の一方をケース身側の「収納容器本体４３ａ」とし、これに合体する他方をケース蓋側の「蓋体４３ｂ」とする。
【００２０】
しかして、扁平容器４３は、それぞれ外壁面に錠箱２の内壁面に面接触する幅広の突起部分（肉厚部分）４６．４６を有している。また、図１を基準にして扁平容器４３の縦・横の長さを説明すると、横の長さは、フロント板１３の裏面から後壁１７の内面まであり、一方、縦の長さは、上壁１５の内面から錠箱２の略半分くらいである。もちろん、扁平容器４３の縦・横の長さ寸法は、任意に設定することができる。
【００２１】
また、扁平容器４３のフロント板１３寄りの下端部には、支持部材の一例としてのメネジ支持筒２５に支持されていると共に、該下端部にはネジ支持筒２５に当たる下部突起４７が設けられている。また、扁平容器４３のフロント板１３寄りの上端部は段差状に形成され、その上段部分は上方メネジ支持筒２５と当接している。また、扁平容器４３の下端部の後壁１７側には、スイッチ駆動板３８用の案内開口４８が形成されている。さらに、本実施例の扁平容器４３は、適宜部位（例えば下端部）に固着具用貫通孔４９を有し、図９で示すように、ケース身１１に形成したメネジ５０に螺合する固着具５１に仮止めされている。
【００２２】
（５）駆動制御ユニット３に組み込まれる部材
駆動制御ユニット３の扁平容器４３に組み込まれる必須の部材は、少なくとも駆動源４と、デッドボルト５の位置状態の信号を拾う一つ以上のスイッチ６と、このスイッチ６が接続するプリント基板７である。駆動源４は、例えば横方向に配設された電動機４が用いられている。電動機４を制御する場合、望ましくは減速歯車機構を簡略すべきである。そこで、電動機４の出力軸に設けたピニオンとスイッチ駆動板３８に設けたラックとで歯車伝達機構４１を構成している。もちろん、前記駆動源４を縦方向に配設しても良く、また歯車伝達機構４１は、公知の歯車列から成る構成であっても良い。さらに、歯車列にはクラッチ機構や伝動歯車切り離し機構を任意に設けることができる。スイッチ６は、プリント基板７に直付けされた単数又は複数個のマイクロスイッチが採用されている。複数個の場合、一つは、施錠信号を拾うスイッチ６ａで、もう一つは、解錠信号を拾うスイッチ６ｂである。このスイッチ６に関しても、可動接片型の他に、磁気感応型、抵抗値検出型、発光素子・受光素子の光電型など任意に選択することができる。
【００２３】
本実施例では、説明の便宜上、可動接片型マイクロスイッチ６ａ．６ｂを図示している。マイクロスイッチ６ａ．６ｂの可動接片は、例えば扁平容器４３内に上端部側３８ａが入り込んだスイッチ駆動板３８に可動支軸を介して軸支され、かつ、扁平容器４３に軸支された押圧片５５に選択的に押圧される。スイッチ駆動板３８は、その上端部側３８ａが扁平容器４３に収納され、一方、上端部側３８ａに細長板状に連設する下端部側３８ｂが扁平容器４３から突出し、前記下端部側３８ｂには、ダルマ３１の第２駆動腕３７と係合する突片状の係合部５６が形成されている。スイッチ駆動板３８は、駆動源４の駆動力により、扁平容器４３に案内されながら後壁１７に沿って所定量上下動する。
【００２４】
さらに、本発明の従属的事項として、駆動制御ユニット３の扁平容器４３の前壁側には、小さなランプ２０、モード切替え用の操作ボタン２１、識別番号設定用のロータリースイッチ２２などが上下方向に配列されている。もちろん、扁平容器４３には、その他受信器や公知の部材を適宜に組み込んでも良い。
【実施例】
【００２５】
発明の実施の形態で示した実施例に於いて、電気錠を構成する主な部材は、支障がない限り、扁平容器の一部から露呈していても良い。また、駆動制御ユニットの扁平容器の合体（結合）構造は、オス・メス係合、固着具による結合など適宜に採用し得る。また前記扁平容器の形態や材質は特に問わないが、望ましくは、「ガタガタ」しないように、全体的に錠箱内の収納空間にフイットする形状に設計されている。スイッチ６は、望ましくは、抵抗値検出型が採用されている。さらに、本実施例のスイッチ駆動板３８は、ダルマ３１の第２駆動腕３７に直結係合しているが、ダルマ３１に連動する作動体に係合させても良い。加えて、信号線の本数や電気錠の機械的構成（例えばダッドボルトの配設位置）は、任意に変更可能である。
【産業上の利用可能性】
【００２６】
本発明は、主に建具、錠前の業界で利用される。
【図面の簡単な説明】
【００２７】
図１乃至図１１は本発明の最良の実施例を示す各説明図。
【図１】錠箱内に駆動制御ユニットを組込み、ケース蓋及び駆動制御ユニットの扁平容器の右上一部を切欠いた概略説明図（施錠時）。
【図２】図１の２−２線を基準にした概略説明図（ケース蓋は仮想線）。
【図３】図１の３−３線を基準にした概略説明図（ケース蓋は、便宜上、実線）。
【図４】駆動制御ユニットの正面からの説明図。
【図５】駆動制御ユニットの扁平容器の平面図。
【図６】駆動制御ユニットの扁平容器の左側面図。
【図７】駆動制御ユニットの扁平容器の右側面図。
【図８】図１を基準とする扁平容器内の具体的構成の一例を示す概略説明図。
【図９】扁平容器の固定の一例を示す概略説明図。
【図１０】図１を基準とする解除時の概略説明図。
【図１１】フロント板を取外した場合の説明図。
【符号の説明】
【００２８】
Ｘ…電気錠、1…扉、２…錠箱、３…駆動制御ユニット、４…駆動源、５…デッドボルト、６…スイッチ、７…プリント基板、１１…ケース身、１２…ケース蓋、１３…フロント板、１４…取り付け板、１５…上壁、１６…下壁、１７…後壁、１８…出入り口、２０…ランプ、２１…操作ボタン、２２…スイッチ、２４…縦長開口、２５…支持部材、２６…配線、３１…ダルマ、３２…デッドストッパー、３３…押し下げ部材、３６…第１駆動腕、３７…第２駆動腕、３８…スイッチ駆動板、３９…付勢バネ、４０…復帰バネ、４１…歯車伝達機構、４３…扁平容器、４３ａ…収納容器本体、４３ｂ…蓋体、４４…開口部、５６…係合部。
【図１】
0004614681.tif 000002
【図２】
0004614681.tif 000003
【図３】
0004614681.tif 000004
【図４】
0004614681.tif 000005
【図５】
0004614681.tif 000006
【図６】
0004614681.tif 000007
【図７】
0004614681.tif 000008
【図８】
0004614681.tif 000009
【図９】
0004614681.tif 000010
【図１０】
0004614681.tif 000011
【図１１】
0004614681.tif 000012